(57)【要約】【課題】拡大レンズの位置を移動させる操作を必要とせず、収納時の収まりがよく、かつ安定的に動作して耐久性に優れる携帯電話機の画面拡大具を提供する。【解決手段】折り畳み式携帯電話機１の画面２の上に平行リンク機構３を介して拡大レンズ４を昇降可能に装着する。平行リンク機構３は、４本のロッドＡ、Ｂ、Ｃ、Ｄをピンで結合して４節リンクを形成し、ロッドＤを携帯電話機１の画面側機体１１の側面に取り付けて固定し、可動ロッドＢを拡大レンズ４の側面に取り付けて上下に平行移動させる。ロッドＢの延出部の先端にはリンクアーム５の一端をピンで結合し、リンクアーム５の他端を携帯電話機１のキー側機体１２の側面にピンで結合する。【選択図】図１
2008022424.tif 000002
【特許請求の範囲】
【請求項１】
折り畳み式携帯電話機の画面の上に平行リンク機構を介して拡大レンズを昇降可能に装着し、
この平行リンク機構にリンクアームの一端を接続すると共に他端を折り畳み式携帯電話機のキー側機体に接続し、
これより折り畳み式携帯電話機の開閉運動を平行リンク機構に伝えて前記拡大レンズを画面に接近・離間させることを特徴とする携帯電話機の画面拡大具。
【請求項２】
前記拡大レンズは片持ち支持されて平行リンク機構に取り付けられることを特徴とする請求項１記載の携帯電話機の画面拡大具。
【請求項３】
前記拡大レンズがフレネルレンズであることを特徴とする請求項１記載の携帯電話機の画面拡大具。
【請求項４】
前記平行リンク機構とリンクアームが弾性体で一体成形されたものであることを特徴とする請求項１記載の携帯電話機の画面拡大具。
【請求項５】
前記リンクアームの一方のピン孔を長くして折り畳み式携帯電話機を開いたときの拡大レンズの高さを低くできることを特徴とする請求項１記載の携帯電話機の画面拡大具。
【請求項６】
前記折り畳み式携帯電話機にアタッチメントを取り付けて折り畳み式携帯電話機を開いたときの拡大レンズと同じ高さにスピーカの音声を導くことを特徴とする請求項１記載の携帯電話機の画面拡大具。
【発明の詳細な説明】
【技術分野】
【０００１】
本発明は、既存の折り畳み式携帯電話機に後付けの拡大レンズを取り付けて画面を拡大する携帯電話機の画面拡大具に関する。
【背景技術】
【０００２】
携帯メールの普及やワンセグ放送の開始に伴い、携帯電話は単なる通話手段としてだけでなく情報伝達媒体としての役割が高まりつつある。
そのため小さな画面に多くの情報が表示され、老眼の高齢者や視力の弱い人にとっては見ずらいものになっている。
この問題を解決するために、例えば特許文献１には折り畳み式携帯電話機に拡大レンズと一体の弾性体を取り付け、折り畳み式携帯電話機を開くと同時に弾性体の弾性力で拡大レンズが持ち上げられ、表示画面を拡大する折り畳み式携帯電話機用自動拡大表示器具が提案されている。
しかしながら、弾性体の弾性力だけを利用して拡大レンズを上下する方法では、動作が安定せず、耐久性にも問題がある。
【０００３】
また、特許文献２には拡大レンズを回動して使用時は画面の上に位置させ、不使用時は画面の外側に位置させることのできる表示拡大装置が提案されている。
また、特許文献３には携帯電話機の画面の裏側に収納した拡大レンズを持ち上げ、回転させて画面上に持ってくることのできる画面拡大装置が提案されている。
しかしながら、いずれの装置も拡大レンズの位置を移動させる操作を必要とし、不使用時は拡大レンズが外側に突出して収まりが悪くなる。
【特許文献１】特開２００４−２８２５２３号公報
【特許文献２】特開２００３−１４３２８２号公報
【特許文献３】特開２００３−２０８２４２号公報
【発明の開示】
【発明が解決しようとする課題】
【０００４】
解決しようとする問題点は以上のような点であり、本発明は、拡大レンズの位置を移動させる操作を必要とせず、収納時の収まりがよく、かつ安定的に動作して耐久性に優れる携帯電話機の画面拡大具を提供することを目的になされたものである。
【課題を解決するための手段】
【０００５】
そのため本発明は、折り畳み式携帯電話機の画面の上に平行リンク機構を介して拡大レンズを昇降可能に装着し、この平行リンク機構にリンクアームの一端を接続すると共に他端を折り畳み式携帯電話機のキー側機体に接続し、これより折り畳み式携帯電話機の開閉運動を平行リンク機構に伝えて前記拡大レンズを画面に接近・離間させることを最も主要な特徴とする。
【発明の効果】
【０００６】
本発明は、折り畳み式携帯電話機の開閉運動を平行リンク機構に伝えて拡大レンズを画面に接近・離間させるので拡大レンズの位置を移動させる手間がなくなる。
また、折り畳み式携帯電話機の間に挟まれた状態で収納するので、拡大レンズが外側に突出する不具合もなくなる。
また、平行リンク機構を利用して拡大レンズを上下するので確実かつ安定的に作動し、耐久性も高まる。
【発明を実施するための最良の形態】
【０００７】
以下、本発明の実施の形態について説明する。
【０００８】
図１に、本発明を実施した携帯電話機の画面拡大具の斜視図を示す。
携帯電話機の画面拡大具は、折り畳み式携帯電話機１の画面２の上に平行リンク機構３を介して拡大レンズ４を昇降可能に装着する構成である。
平行リンク機構３は、４本のロッドＡ、Ｂ、Ｃ、Ｄをピンで結合して４節リンクを形成し、ロッドＤを携帯電話機１の画面側機体１１の側面に取り付けて固定し、可動ロッドＢを拡大レンズ４の側面に取り付けて上下に平行移動させる。
ロッドＢの延出部の先端にはリンクアーム５の一端をピンで結合し、リンクアーム５の他端を携帯電話機１のキー側機体１２の側面にピンで結合する。
ロッドＢ、Ｄは携帯電話機１の画面側機体１１の側面と拡大レンズ４の側面に直接ピンを取り付けて省略してもよい。
【０００９】
拡大レンズ４は、ロッドＢの側面に取り付けた断面コ字形の支持具６に挟持されて携帯電話機１の画面２の上に片持ち支持される。これにより、両持ち支持する場合に必要な取り付け幅の調節機構をなくして形状やサイズの異なる種々の携帯電話機１への対応を容易にする。
【００１０】
拡大レンズ４はフレネルレンズを用いて肉厚を減らし、間に拡大レンズ４を挟んだ状態で携帯電話機１を閉じられるようにする。
【００１１】
平行リンク機構３、リンクアーム５、支持具６はアルミ合金や樹脂で形成し、軽量化して取り付けを容易にするとともに可動部の動きをスムーズにする。
【００１２】
平行リンク機構３とリンクアーム５は、図２の太線で示すように、回り対偶となるピン結合の連結部を折り曲げ可能にして樹脂などの弾性体で一体に成形してもよい。
その場合、両面テープや粘着材を用いて平行リンク機構３の固定部を携帯電話機１の画面側機体１１の上面側方に貼着し、可動部を拡大レンズ４の下面側方に貼着する。
また、リンクアーム５の平行リンク機構３と反対側の端部を携帯電話機１のキー側機体１２の上面側方に貼着する。
【００１３】
本発明を実施した携帯電話機の画面拡大具は以上のような構成で、図３に示すように、携帯電話機１を開くとリンクアーム５が支点ピンａ、ｂを軸に回動して平行リンク機構３の可動ロッドＢを図の右方向に引き込む。これによりロッドＡ、Ｃが右方向に回動して起立し、可動ロッドＢを上方に平行移動させて可動ロッドＢと一体の拡大レンズ４を所定の高さまで相対的に持ち上げる。
携帯電話機１を閉じるとリンクアーム５が支点ピンａ、ｂを軸に回動して平行リンク機構３の可動ロッドＢを図の左方向に押し出す。これによりロッドＡ、Ｃが左方向に回動して倒伏し、可動ロッドＢを下方に平行移動させて可動ロッドＢと一体の拡大レンズ４を携帯電話機１の画面２に密着させる。
【００１４】
通話時に携帯電話機１のスピーカ７に耳を当てるとき拡大レンズ４の高さが邪魔になる場合は、図４に示すように、リンクアーム５の支点ピンａ、ｂのいずれか一方のピン孔を長くして滑り対偶に変える。これにより、可動ロッドＢと一体の拡大レンズ４を押し下げるとリンクアーム５の一端が支点ピンａ、ｂから突出し、可動ロッドＢをさらに図の右方向に引き込んでロッドＡ、Ｃを鋭角に倒伏させる。これにより、可動ロッドＢと一体の拡大レンズ４を携帯電話機１の画面２上に密着させ、スピーカ７に耳を接近させての通話が可能になる。
【００１５】
あるいは、図５に示すように、携帯電話機１にスピーカ７の音声を拡大レンズ４と同じ高さに導くアタッチメント８を取り付けて拡大レンズ４を持ち上げたままの状態で通話できるようにしてもよい。
アタッチメント８は、携帯電話機１の画面側機体１１の先端より外側の上方に突出し、基端をスピーカ７の出口に接続する。
【図面の簡単な説明】
【００１６】
【図１】本発明を実施した携帯電話機の画面拡大具の斜視図である。
【図２】樹脂などの弾性体で一体成形した携帯電話機の画面拡大具の側面図である。
【図３】開閉に伴う形状の変化を説明した携帯電話機の画面拡大具の側面図である。
【図４】支点ピンのピン孔を長くした携帯電話機の画面拡大具の側面図である。
【図５】アタッチメントを取り付けた携帯電話機の画面拡大具の側面図である。
【符号の説明】
【００１７】
１          携帯電話機
１１        画面側機体
１２        キー側機体
２          画面
３          平行リンク機構
４          拡大レンズ
５          リンクアーム
６          支持具
７          スピーカ
８          アタッチメント
【図１】
2008022424.tif 000003
【図２】
2008022424.tif 000004
【図３】
2008022424.tif 000005
【図４】
2008022424.tif 000006
【図５】
2008022424.tif 000007